(57)【要約】【課題】インクチューブの追従変形に対し、インクチューブを安定して保持することができる。【解決手段】キャリッジ４１の外部に設けられ、ヘッドユニット４２にインクを供給するインクタンク５１と、インクタンク５１とヘッドユニット４２とを接続すると共に、キャリッジ４１の往復動に伴って追従変形する４本のインクチューブ５２と、４本のインクチューブ５２を、その追従変形の可動側端部で湾曲させてヘッドユニット４２に導くガイドユニット１１４と、を備え、ガイドユニット１１４は、キャリッジ４２に設けられ、４本のインクチューブ５２を同一平面内において湾曲させるガイド溝１２７を有するガイド本体１２８と、４本のインクチューブ５２を押えるチューブ押え手段１２９、１３０と、を有する。【選択図】図１１
2015221582.tif 000002
【特許請求の範囲】
【請求項１】
キャリッジを介して往復動するヘッドユニットに対し、インクを供給するインク供給装置であって、
前記キャリッジの外部に設けられ、前記ヘッドユニットに前記インクを供給するインクタンクと、
前記インクタンクと前記ヘッドユニットとを接続すると共に、前記キャリッジの往復動に伴って追従変形する複数本のインクチューブと、
前記複数本のインクチューブを、その追従変形の可動側端部において所定の角度に湾曲させて前記ヘッドユニットに導くガイドユニットと、を備え、
前記ガイドユニットは、
前記キャリッジに設けられ、前記複数本のインクチューブを同一平面内において湾曲させるガイド溝を有するガイド本体と、
前記ガイド本体を受けとして前記複数本のインクチューブを押えるチューブ押え手段と、を有することを特徴とするインク供給装置。
【請求項２】
前記ガイド溝は、隣接する２本のインクチューブ当り１つの個別ガイド溝を有していることを特徴とする請求項１に記載のインク供給装置。
【請求項３】
前記チューブ押え手段は、前記ガイド本体の下流側に設けられ、前記個別ガイド溝の両側壁上端から内側に延びる一対の押え片を有していることを特徴とする請求項２に記載のインク供給装置。
【請求項４】
前記一対の押え片は、前記個別ガイド溝と一体に成形されると共に、前記個別ガイド溝の延在方向に対し相互に位置ズレして配設されていることを特徴とする請求項３に記載のインク供給装置。
【請求項５】
前記チューブ押え手段は、前記ガイド溝の開放面を覆う板状の押え部材を、有することを特徴とする請求項１ないし４のいずれかに記載のインク供給装置。
【請求項６】
追従変形する前記複数本のインクチューブの外側に添設され、前記複数本のインクチューブと共に前記キャリッジの往復動に伴って追従変形する可撓性の保護プレートを、更に備え、
前記押え部材は、前記保護プレートの前記可動側端部で構成されていることを特徴とする請求項５に記載のインク供給装置。
【請求項７】
前記ガイドユニットは、
前記ガイド本体の上流側近傍において前記キャリッジに設けられ、前記複数本のインクチューブを前記同一平面内において保持するチューブ保持部材を、更に有することを特徴とする請求項１ないし６のいずれかに記載のインク供給装置。
【請求項８】
前記キャリッジと前記ガイド本体とは、一体に成形されていることを特徴とする請求項１ないし７のいずれかに記載のインク供給装置。
【請求項９】
請求項１ないし８のいずれかに記載のインク供給装置と、
インクジェット方式の前記ヘッドユニットを前記キャリッジに搭載したキャリッジユニットと、を備えたことを特徴とするインクジェット記録装置。
【請求項１０】
記録装置本体と、
前記記録装置本体に着脱自在に装着したタンクユニットと、から成り、
前記インクタンクが、前記タンクユニットに搭載されていることを特徴とする請求項９に記載のインクジェット記録装置。
【発明の詳細な説明】
【技術分野】
【０００１】
本発明は、往復動するキャリッジに搭載されたヘッドユニットに対し、インクを供給するインク供給装置およびインクジェット記録装置に関するものである。
【背景技術】
【０００２】
従来、この種のインク供給装置として、キャリッジの外部に配置されたインクタンクと、キャリッジの往復動に伴って追従変形するインクチューブと、キャリッジ上に且つインクチューブの配管経路におけるコーナーに設けられ、インクチューブを保持するガイドユニットと、を備えたものが知られている（特許文献１参照）。このガイドユニットは、上記コーナーに沿って平面視略湾曲形状に形成したユニット本体と、ユニット本体の上面に形成され、インクチューブを上記コーナーに沿った曲げ状態で保持するチューブ保持溝と、を有している。これによって、インクチューブの断面変形を抑制しつつ、チューブをコーナーに沿って曲げた状態に保持することができる。
【先行技術文献】
【特許文献】
【０００３】
【特許文献１】特開２００７−１１２１３８号公報
【発明の概要】
【発明が解決しようとする課題】
【０００４】
ところで、このようなインク供給装置では、追従変形するインクチューブの可動端部を、ガイドユニットによって支持・固定する構成となるが、かかる際、インクチューブの追従変形に伴って、インクチューブがチューブ保持溝から浮き上がり外れてしまう。すなわち、上記の構成では、インクチューブの追従変形に対し、インクチューブを安定して保持することができないという問題もあった。
【０００５】
本発明は、インクチューブの追従変形に対し、インクチューブを安定して保持することができるインク供給装置およびインクジェット記録装置を提供することを課題としている。
【課題を解決するための手段】
【０００６】
本発明のインク供給装置は、キャリッジを介して往復動するヘッドユニットに対し、インクを供給するインク供給装置であって、キャリッジの外部に設けられ、前記ヘッドユニットに前記インクを供給するインクタンクと、前記インクタンクと前記ヘッドユニットとを接続すると共に、前記キャリッジの往復動に伴って追従変形する複数本のインクチューブと、前記複数本のインクチューブを、その追従変形の可動側端部において所定の角度に湾曲させて前記ヘッドユニットに導くガイドユニットと、を備え、前記ガイドユニットは、前記キャリッジに設けられ、前記複数本のインクチューブを同一平面内において湾曲させるガイド溝を有するガイド本体と、前記ガイド本体を受けとして前記複数本のインクチューブを押えるチューブ押え手段と、を有することを特徴とする。
【０００７】
この構成によれば、ガイド本体を受けとして複数本のインクチューブを押えるチューブ押え手段を設けることで、追従変形したインクチューブの浮き上がりを抑制し、インクチューブがガイド本体から外れることを防止することができる。ゆえに、インクチューブを安定して保持することができる。
【０００８】
この場合、前記ガイド溝は、隣接する２本のインクチューブ当り１つの個別ガイド溝を有していることが好ましい。
【０００９】
この構成によれば、２本のインクチューブ当り１つの個別ガイド溝を有することで、単一の個別ガイド溝で２本のインクチューブをガイドすることができるため、ガイドユニットを簡単な構成にすることができる。また、２本のインクチューブに対し１つの個別ガイド溝を割り当てる構成であれば、個別ガイド溝のいずれかの側壁が必ず各インクチューブに接触するため、十分なガイド機能を得ることができる。
【００１０】
この場合、前記チューブ押え手段は、前記ガイド本体の下流側に設けられ、前記個別ガイド溝の両側壁上端から内側に延びる一対の押え片を有していることが好ましい。
【００１１】
この構成によれば、ガイド本体の下流側でインクチューブを押え、固定することができるため、インクチューブを介してヘッドユニットの流入継手に無用な力が加わるのを抑制することができる。
【００１２】
この場合、前記一対の押え片は、前記個別ガイド溝と一体に成形されると共に、前記個別ガイド溝の延在方向に対し相互に位置ズレして配設されていることが好ましい。
【００１３】
一対の押え片を個別ガイド溝の延在方向の同位置に配設すると、一対の押え片間の間隙が狭くなり、個別ガイド溝にインクチューブを組み込むことが困難に成ってしまう。
これに対し、一対の押え片を個別ガイド溝の延在方向に対し相互に位置ズレして配設することにより、一対の押え片間の間隙が広くなり、個別ガイド溝にインクチューブを、容易に組み込むことができる。よって、組立性が向上する。また、個別ガイド溝と一対の押え片とを一体成形する際、一対の押え片同士を離間させることができるため、成形しやすいものとなる。
【００１４】
この場合、チューブ押え手段は、前記ガイド溝の開放面を覆う板状の押え部材を、有することが好ましい。
【００１５】
この構成によれば、ガイド溝の開放面でインクチューブを押えることができるため、インクチューブの浮き上りを更に抑制することができる。
【００１６】
この場合、追従変形する前記複数本のインクチューブの外側に添設され、前記複数本のインクチューブと共に前記キャリッジの往復動に伴って追従変形する可撓性の保護プレートを、更に備え、前記押え部材は、前記保護プレートの前記可動側端部で構成されていることが好ましい。
【００１７】
この構成によれば、押え部材を、保護プレートの可動側端部で構成することにより、部品点数を削減することができるため、インク供給装置を簡単な構成にすることができる。
【００１８】
この場合、前記ガイドユニットは、前記ガイド本体の上流側近傍において前記キャリッジに設けられ、前記複数本のインクチューブを前記同一平面内において保持するチューブ保持部材を、更に有することが好ましい。
【００１９】
この構成によれば、ガイド本体の上流側近傍にチューブ保持部材を設けることで、インクチューブの浮き上りを更に抑制することができる。
【００２０】
この場合、前記キャリッジと前記ガイド本体とは、一体に成形されていることが好ましい。
【００２１】
この構成によれば、部品点数を削減することができるため、インク供給装置を簡単な構成にすることができる。
【００２２】
本発明のインクジェット記録装置は、上記のインク供給装置と、インクジェット方式の前記ヘッドユニットを前記キャリッジに搭載したキャリッジユニットと、を備えたことを特徴とする。
【００２３】
この構成によれば、インクチューブを安定して保持することができるインク供給装置を用いることで、インク供給における安定性の高いインクジェット記録装置を提供することができる。
【００２４】
この場合、記録装置本体と、前記記録装置本体に着脱自在に装着したタンクユニットと、から成り、前記インクタンクが、前記タンクユニットに搭載されていることが好ましい。
【００２５】
この構成によれば、記録装置本体とは別体のタンクユニットを用いる方式のインクジェット記録装置においても、インク供給において高い安定性を発揮させることができる。
【図面の簡単な説明】
【００２６】
【図１】本実施形態に係るインクジェット記録装置を示した斜視図である。
【図２】インクジェット記録装置のチューブ用開口部を示した斜視図である。
【図３】インクジェット記録装置の内部構造を示した斜視図である。
【図４】インクジェット記録装置を示した断面図である。
【図５】インク供給部周りを示した斜視図である。
【図６】タンクユニットを示した断面図である。
【図７】タンクユニットを示した底面図である。
【図８】バルブユニット周りを示した分解斜視図である。
【図９】摩擦接触面が接触したインクチューブに、引張り力が発生した際の作用を示した説明図である。
【図１０】中間継手を示した斜視図である。
【図１１】ガイドユニット周りを示した斜視図である。
【図１２】（ａ）は、チューブ保持部材を示した斜視図であり、（ｂ）および（ｃ）は、チューブ保持部材を示した断面図である。
【図１３】チューブ保持部材へのインクチューブの組込作業を示した説明図である。
【発明を実施するための形態】
【００２７】
以下、添付した図面を参照して、本発明の一実施形態に係るインクジェット記録装置について説明する。このインクジェット記録装置は、記録装置本体とは別体のタンクユニットを用いる方式のインクジェットプリンターであり、キャリッジに搭載されたインクジェットヘッドを左右方向に主走査すると共に、印刷用紙（記録媒体）を該左右方向に交差する前後方向に副走査して、印刷用紙に画像データを印刷するものである。
【００２８】
図１は、インクジェット記録装置１を示した斜視図である。同図では、タンクユニット３を記録装置本体２に装着した状態のインクジェット記録装置１を図示する。また、図２は、インクジェット記録装置１において、タンクユニット３からのインクチューブ５２を記録装置本体２に導入するためのチューブ用開口部１５ａを示した斜視図である。同図では、タンクユニット３を記録装置本体２から分離した状態のインクジェット記録装置１を図示する。さらに、図３は、インクジェット記録装置１の内部構造を示した斜視図である。同図では、外装カバー１５を省略したインクジェット記録装置１を図示する。ここでは、図１ないし図３の奥・手前方向をＸ軸方向とし、Ｘ軸方向に直交する図１ないし図３の左右方向をＹ軸方向として説明する。
図１ないし図３に示すように、インクジェット記録装置１は、記録装置本体２と、記録装置本体２に着脱自在に連結されたタンクユニット３とから成り、記録装置本体２およびタンクユニット３には、インクジェット記録装置１の各構成要素が搭載されている。具体的には、記録装置本体２は、印刷用紙（単票紙）をＸ軸方向（搬送方向）に搬送する搬送部１１と、搬送される印刷用紙の上側に配置され、当該印刷用紙に印刷処理を行うインクジェットヘッド４３を含む印刷部１２と、イエロー、マゼンタ、シアン、ブラック各色のインクを供給する本体側インク供給部１３ａと、を備えている。一方、タンクユニット３は、イエロー、マゼンタ、シアン、ブラック各色のインクタンク５１を有し本体側インク供給部１３ａに接続されたタンク側インク供給部１３ｂを備えている。記録装置本体２の本体側インク供給部１３ａと、タンクユニット３のタンク側インク供給部１３ｂとにより、インクジェット記録装置１のインク供給部（インク供給装置）１３が構成されている。
【００２９】
タンクユニット３に貯留されているイエロー、マゼンタ、シアン、ブラック各色のインクは、後述するインクチューブ５２を介して印刷部１２のインクジェットヘッド４３に自然水頭で送られ、インクジェットヘッド４３のインク吐出を伴う主走査と、印刷用紙の副走査（間欠送り）により、印刷用紙に印刷画像を形成する。
【００３０】
記録装置本体２は、箱型の外装カバー１５によって外郭を成し、その左側の側壁にはタンクユニット３を装着するための前後一対の被係合部１５ｂが形成されている。一方、タンクユニット３は、箱型のユニットケース１７によって外郭を成し、その右側の側壁に被係合部１５ｂに係合する前後一対の係合部１７ａが形成されている。すなわち、当該係合部１７ａを被係合部１５ｂに上側から係合させて、タンクユニット３を記録装置本体２に着脱自在に装着するようになっている。これにより、インクチューブ５２を接続したまま、タンクユニット３を、記録装置本体２に対し着脱自在に連結する。また、外装カバー１５の左側の側壁には、タンクユニット３からのインクチューブ５２を外装カバー１５内に導入するためのチューブ用開口部１５ａが形成されている。なお、タンクユニット３は、インク供給時には縦置き姿勢で記録装置本体２に装着されており（図１参照）、インクタンク５１へのインク補充時には記録装置本体２から離脱させ横置き姿勢にする（図２参照）。
【００３１】
図３および図４に示すように、搬送部１１は、印刷用紙を右揃えでセットする用紙トレイ２１と、用紙トレイ２１から印刷用紙を１枚ずつ分離して送り出す分離ローラー２２と、分離ローラー２２の下流側に位置し、印刷用紙を搬送経路Ｒに沿って印刷部１２に送り込む給紙ローラー２３ａ、および給紙従動ローラー２３ｂと、給紙ローラー２３ａおよび給紙従動ローラー２３ｂの下流側に位置し、インクジェトヘッド４３に対向するプラテン２４と、プラテン２４の下流側に位置し印刷用紙を上側からガイドするガイドローラー２５と、ガイドローラー２５の下流側に位置し、印刷用紙を排紙口１５ｃから排紙する排紙ローラー２６ａおよび排紙従動ローラー２６ｂと、ガイドローラー２５および排紙従動ローラー２６ｂを支持する排紙フレーム２７と、を備えている。
【００３２】
この場合、給紙ローラー２３ａおよび給紙従動ローラー２３ｂは、印刷用紙の送りを制御するメインローラーとして機能し、排紙ローラー２６ａおよび排紙従動ローラー２６ｂはプラテン２４の上側に送られた印刷用紙に張力（ｔｅｎｓｉｏｎ）を付与するテンションローラーとして機能する。また、ガイドローラー２５は、送られる印刷用紙の先端を押さえ、ジャミングを防止する。分離ローラー２２によって用紙トレイ２１から導入された印刷用紙は、給紙ローラー２３ａおよび排紙従動ローラー２３ｂ、ガイドローラー２５、並びに排紙ローラー２６ａおよび排紙従動ローラー２６ｂにより、搬送経路Ｒに沿ってＸ軸方向に搬送され、印刷された後、排紙口１５ｃから排紙される。
【００３３】
印刷部１２は、装置フレーム１６に支持されると共にＹ軸方向に幅一杯に延在するガイドフレーム３１と、ガイドフレーム３１に往復動自在に支持されたキャリッジユニット３２と、キャリッジユニット３２をガイドフレーム３１に沿って往復動させるキャリッジ移動機構（図示省略）と、を備えている。そして、このキャリッジユニット３２に、インクジェットヘッド４３が搭載されている。
【００３４】
ガイドフレーム３１は、断面「Ｃ」字状に形成されており、係合スライダー部４１ａは、ガイドフレーム３１に掛け止めされるようにして片持ちで且つ延在方向（Ｙ軸方向）に往復動自在に、すなわちスライド自在に支持されている。キャリッジ移動機構は、ガイドフレーム３１に沿って延在するタイミングベルトと、タイミングベルトを架け渡した主動プーリおよび従動プーリと、タイミングベルトとキャリッジユニット３２（キャリッジ４１）とを連結する連結固定部と、主動プーリを駆動するキャリッジモーターと、を備えている（いずれも図示省略）。キャリッジモーターが正逆回転すると、タイミングベルトを介してキャリッジユニット３２がＹ軸方向（左右方向に往復動する。この往復動に伴って、キャリッジユニット３２のインクジェットヘッド４３が吐出駆動することにより、いわゆる主走査が行われる。
【００３５】
キャリッジユニット３２は、係合スライダー部４１ａを介してガイドフレーム３１に往復動自在に支持された箱状のキャリッジ４１と、キャリッジ４１に組み込まれたヘッドユニット４２と、を備えている。ヘッドユニット４２は、イエロー、マゼンタ、シアン、ブラックの各色のインク滴を吐出する４連のノズル列を有するインクジェットヘッド４３と、インクジェットヘッド４３に上側から直接接続されると共に、インクチューブ５２の下流端部が接続されたイエロー、マゼンタ、シアン、ブラック各色の接続アダプター４４と、を有している。インクジェットヘッド４３は、相互に並行に且つＸ軸方向に延在したイエロー、マゼンタ、シアン、ブラック４つのノズル列（図示省略）を有し、搬送される印刷用紙に対し所定のペーパーギャップを有して下向きに配設されている。各接続アダプター４４は、インクバッファやインクフィルター等を内蔵し、その上部には、インクチューブ５２を接続するための流入継手４４ａを有している。
【００３６】
印刷処理では、搬送部１１によって印刷用紙を搬送して印刷用紙をインクジェットヘッド４３の下側に送ると共に、インクジェットヘッド４３を駆動しつつ、キャリッジ移動機構によって、キャリッジユニット３２を往復させて、印刷用紙に画像データを印刷する。
【００３７】
図３および図５に示すように、インク供給部１３は、イエロー、マゼンタ、シアン、ブラック各色のインクタンク５１と、イエロー、マゼンタ、シアン、ブラック各色に対応した各インクタンク５１と、ヘッドユニット４２（各接続アダプター４４の流入継手４４ａ）とを接続する４本のインクチューブ５２と、４本のインクチューブ５２の経路をガイドするガイド機構５３と、を備えている。また、インク供給部１３は、タンクユニット３の下部に内蔵され、４本のインクチューブ５２の上流端部において流路を開閉する手動のバルブユニット５４と、タンクユニット３の下部に添設され、インクタンク５１側の流出継手５１ｂの抜止めを行うタンク側抜止め部材５５と、記録装置本体２内の下部に内蔵され、記録装置本体２側の中間継手５７の抜止めを行う本体側抜止め部材５６と、記録装置本体２内に設けられ、記録装置本体２側の接続継手として４本のインクチューブに介設された中間継手５７と、を備えている。
【００３８】
図６はタンクユニット３を示した断面図であり、図７はタンクユニット３を示した底面図である。図６および図７に示すように、各インクタンク５１は、それぞれ対応する色のインクを貯留し、Ｘ軸方向に並列して配設されている。各インクタンク５１は、タンク本体５１ａと、タンク本体５１ａの下部に形成され、Ｙ軸方向に突出する流出継手５１ｂと、を有している。そして、各流出継手５１ｂに、各インクチューブ５２の上流端部が差込み接合されている。
【００３９】
図３および図５に示すように、４本のインクチューブ５２は、シリコンゴム製であり、水平方向に並列に配管されている。また、４本のインクチューブ５２は、ガイド機構５３にガイドされて、各インクタンク５１からヘッドユニット４２まで引き回されている。さらに、４本のインクチューブ５２には、延在方向の複数箇所に、４本のインクチューブ５２を並列に連結する連結体６０が設けられており、並列の整列配置した状態で配管されている。
【００４０】
各インクチューブ５２は、タンク側インク供給部１３ｂに属するインクタンク側のタンク側チューブ５２ａと、本体側インク供給部１３ａに属するインクジェットヘッド４３側のヘッド側チューブ５２ｂと、を備えている。タンク側チューブ５２ａは、両基端部側をそれぞれ上記のタンク側抜止め部材５５および本体側抜止め部材５６に支持されると共に、上流端部が流出継手５１ｂを介して各インクタンク５１に接続されタンクユニット３から上方に大きく湾曲して記録装置本体２に渡っている。ヘッド側チューブ５２ｂは、中間継手５７から、記録装置本体２内を横断するように配管され、記録装置本体２内の右部で上方に湾曲して延在し、更に奥側にターンしてその下流端部が流入継手４４ａを介して各接続アダプター４４に接続されている。タンク側チューブ５２ａは、その一部として、タンクユニット３から記録装置本体２に架け渡された架設チューブ部６１を有している。また、ヘッド側チューブ５２ｂは、記録装置本体２内を横断すると共に、記録装置本体２内の右部で上方に折り返すように湾曲したチューブ湾曲部６２と、チューブ湾曲部６２の上流側において、奥側にターンするチューブターン部６３と、を有している。
【００４１】
架設チューブ部６１は、上流側をタンク側抜止め部材５５に、下流側を本体側抜止め部材５６に支持されており、タンクユニット３から記録装置本体２に上方に逆Ｕ字状に架設されている。タンク側チューブ５２ａの、架設チューブ部６１より上流側の位置には、上記のバルブユニット５４が配設されている。また、タンク側チューブ５２ａは、架設チューブ部６１より下流側において、本体側抜止め部材５６の直近の下流側で中間継手５７に接続されている。
【００４２】
一方、チューブ湾曲部６２は、キャリッジユニット３２の往復動領域の前方のエリア、すなわち上記の排紙フレーム２７の直上エリアにおいて、横Ｕターン形状に配管されている。この場合、チューブ湾曲部６２は、中間継手５７側を固定側とし、キャリッジ４１側を可動側として、下方から上方に折り返すように湾曲しながら引き回され、キャリッジ４１の往復動に伴って追従変形するようになっている。すなわち、チューブ湾曲部６２は、キャリッジユニット３２の往復動軌跡と並行に配管されており、Ｕターン形状のまま、キャリッジユニット３２の往復動作に従動する。
【００４３】
チューブターン部６３は、チューブ湾曲部６２から延在し、水平面内に垂直に湾曲して引き回された後、下流端部が流入継手４４ａを介して各接続アダプター４４に接続されている。そして、チューブ湾曲部６２とチューブターン部６３との境界部分には、ヘッド側チューブ５２ｂをキャリッジ４１に固定するチューブ保持部材１２２（詳細は、後述する）が配設されている。
【００４４】
なお、インクチューブ５２（タンク側チューブ５２ａおよびヘッド側チューブ５２ｂ）の周面には、周方向の１の位置に延在方向に連続する線状のマーク（図示省略）が設けられている。当該マークは、各チューブ部６１、６２、６３を組み付ける際に、視認によりインクチューブ５２の捩れの有無を判別するためのものであり、例えば架設チューブ部６１、チューブ湾曲部６２およびチューブターン部６３は、湾曲の内側に、それぞれ当該マークがくるように配管されている。これにより、インクチューブ５２を捩れないように延在させることができ、引き回しの際のインクチューブ５２の暴れが抑制される。
【００４５】
図８は、バルブユニット５４周りを示した分割斜視図である。図６ないし図８に示すように、バルブユニット５４は、タンクユニット３の底部に内蔵されており、４本のインクチューブ５２（タンク側チューブ５２ａ）の上流端部に配設されている。バルブユニット５４は、４本のインクチューブ５２を位置規制して横並びに整列させる位置規制部６６と、位置規制した４本のインクチューブ５２に臨み、当該４本のインクチューブ５２を同時に押し潰して（ピンチ）全流路を閉塞するバルブ本体６７（図６参照）と、バルブ本体６７による流路の開閉（バルブ本体６７の進退）を操作するためのカムを有する操作レバー６８と、これらを支持する略方形のバルブフレーム６９と、を備えている。このバルブユニット５４は、インク供給部１３に液漏れ等の不具合が生じる虞があるとき、例えばインクの補充時に、ユーザーの操作によって流路を強制的に閉塞するものである。
【００４６】
タンク側抜止め部材５５は、バルブフレーム６９の側壁に添設されており、架設チューブ部６１のタンクユニット３側基部において、４本のインクチューブ５２をバルブフレーム６９の側壁に沿って上方に引き回しつつ、Ｓ字形状に湾曲させた状態で支持している。具体的には、各インクチューブ５２のＳ字形状の上流側湾曲部分６１ａを湾曲状態に支持する下チューブ支持体７１と、４本のインクチューブ５２を覆うように、下チューブ支持体７１とは逆側から、且つインクチューブ５２のＳ字形状の下流側湾曲部分６１ｂを湾曲状態に支持する上チューブ支持体７２と、上チューブ支持体７２と一体に形成され、下チューブ支持体７１に対峙する受け部材７３と、を有している。すなわち、下チューブ支持体７１の支持位置（インクチューブ５２との接触位置）と上チューブ支持体７２の支持位置（インクチューブ５２との接触位置）とは、インクチューブ５２の延在方向（上下方向）に位置ズレして配設されている。なお、上チューブ支持体７２に対峙する受けは、上記のユニットケース１７の一部が兼ねている。
【００４７】
下チューブ支持体７１は、バルブユニット５４から水平に突出したインクチューブ５２の経路を上方に導くと共に、インクチューブ５２の延在方向からの引張り力が作用したときに、インクチューブ５２を延在方向にズレ止め状態に支持する。具体的には、４本のインクチューブ５２が湾曲状態で接触し、４本のインクチューブ５２との間に引張り力に抗する摩擦力を発生させる摩擦接触面８１ａを有した摩擦接触部８１と、当該摩擦接触面８１ａから突出し、受け部材７３との間のスペーサを兼ねると共に、４本のインクチューブ５２を整列配置するための複数の隔板部８２と、摩擦接触部８１をバルブフレーム６９の側壁に固定するための固定部８３と、で一体に形成されている。
【００４８】
一方、受け部材７３は、下チューブ支持体７１に対向し、４本のインクチューブ５２を下チューブ支持体７１との間で位置規制する位置規制板部８４と、バルブフレーム６９の側壁に形成された被係合部６９ａに係合する前後一対の係合部８５と、を有している。なお、下チューブ支持体７１の隔板部８２は、４本のインクチューブ５２を幅規制すると共に、受け部材７３への当てとなる。このため、取付け状態の受け部材７３により、４本のインクチューブ５２が潰れることはない。
【００４９】
上チューブ支持体７２は、下チューブ支持体７１と同様に、インクチューブ５２の延在方向からの引張り力が作用したときに、インクチューブ５２を延在方向にズレ止め状態に支持する。具体的には、上チューブ支持体７２は、４本のインクチューブ５２が湾曲状態で接触し、４本のインクチューブとの間に引張り力に抗する摩擦力を発生させる摩擦接触面９１ａを有した摩擦接触部９１と、当該摩擦接触面９１ａから突出し、インクチューブ５２を避けてユニットケース１７の側壁に当接する前後一対の当接ピン（図示省略）と、摩擦接触部９１をユニットケース１７に固定するための前後一対の支持体固定ネジ９３、９３と、を備えている。すなわち、ユニットケース１７の側壁が、４本のインクチューブ５２を上チューブ支持体７２との間で位置規制する。また、上チューブ支持体７２の一対の当接ピンにより、４本のインクチューブ５２が潰れることはない。
【００５０】
このように構成された下チューブ支持体７１および上チューブ支持体７２（および受け部材７３）は、下チューブ支持体７１が、バルブフレーム６９の側壁に突設した位置決め用の複数突起により位置決めされ、上チューブ支持体７２がその係合部８５でバルブフレーム６９の被係合部６９ａに掛け止めされ、更に上部で支持体固定ネジ９３により、ユニットケース１７にねじ止めされることで、インクチューブ５２と共にタンクユニット３に固定されている。
【００５１】
下チューブ支持体７１および上チューブ支持体７２の摩擦接触面８１ａ、９１ａは、４本のインクチューブ５２の並列方向に延在し、４本のインクチューブ５２に同時に接触する。また、摩擦接触面８１ａ、９１ａは、インクチューブ５２の延在方向から引張り力が作用したときに、摩擦力を発生させる湾曲形状を有している。例えば、図９（ａ）に示すように、インクチューブ５２が湾曲状態で摩擦接触面８１ａ、９１ａに接触している際、下流側から引張り力が発生すると、引張り力に伴って、摩擦接触面８１ａ側に接触力となる分力を生じさせる。この接触力が強固な摩擦力を発生させ、延在方向に対する強固な位置規制となる。インクチューブ５２は、各支持位置からの上流側および下流側において、所定の角度範囲Ａ内に規制されているため、当該角度範囲Ａからの任意の引張り力に対し、上記摩擦力を発生させる湾曲形状に形成されている（図９（ｂ）および（ｃ）参照）。具体的には、インクチューブ５２は、下チューブ支持体７１の支持位置からは、上流側がバルブユニット５４の位置規制部６６に位置規制され、下流側が上チューブ支持体７２およびユニットケース１７の側壁に位置規制されている。上チューブ支持体７２の支持位置からは、上流側が下チューブ支持体７１および受け部材７３に位置規制され、下流側が記録装置本体２側に逆Ｕ字状に引き回されているため、記録装置本体側上方に位置規制されている。各摩擦接触面８１ａ、９１ａは、これらの位置規制による延在方向の角度範囲Ａに対応して形成されている。
【００５２】
このように、下チューブ支持体７１および受け部材７３と、上チューブ支持体７２およびユニットケース１７の側壁と、によって、２連で延在方向のズレ止め（位置規制）を行い、その結果、タンク側チューブ５２ａの流出継手５１ｂの抜止めとして機能する。
【００５３】
図３および図５に示すように、本体側抜止め部材５６は、装置フレーム１６のタンクユニット３側の側壁と後述のチューブガイド１１１との間に配設されたチューブ支持体１０６を有している。チューブ支持体１０６は、延在方向からの引張り力が作用したときに、架設チューブ部６１の記録装置本体２側基部を延在方向にズレ止め状態に支持する。具体的には、４本のインクチューブ５２が湾曲状態で下側から接触し、４本のインクチューブ５２との間に引張り力に抗する摩擦力を発生させる摩擦接触面１０７ａを有した板状の摩擦接触部１０７と、４本のインクチューブ５２に左右側方から臨み、４本のインクチューブ５２の幅規制を行うと共に、摩擦接触部１０７のサイドプレートを兼ねる板状の左右一対の幅規制板部１０８、１０８と、を備えている。当該摩擦接触部１０７および一対の幅規制板部１０８、１０８は、一体に形成されている。
【００５４】
チューブ支持体１０６の摩擦接触面１０７ａは、４本のインクチューブ５２の並列方向に延在し、４本のインクチューブ５２に同時に接触する。また、摩擦接触面１０７ａは、下チューブ支持体７１および上チューブ支持体７２と同様、インクチューブ５２の延在方向となる所定の角度範囲Ａからの任意の引張り力に対し、接触力となる分力を発生させる湾曲形状に形成されている。具体的には、インクチューブ５２は、チューブ支持体１０６の支持位置からは、上流側がタンクユニット３側に逆Ｕ字状に引き回されているため、タンクユニット３側上方に位置規制され、下流側が中間継手５７（各流入側ポート１０１）に位置規制されている。当該摩擦接触面１０７ａは、これらの位置規制による延在方向の角度範囲Ａに対応して形成されている。
【００５５】
図１０に示すように、中間継手５７は、チューブ湾曲部６２の固定側で、タンク側チューブ５２ａとヘッド側チューブ５２ｂとの間に介設されている。中間継手５７は、４本のインクチューブに対応した４個の流入側ポート１０１と、これに対応した４個の流出側ポート１０２と、４個の流入側ポート１０１および４個の流入ポートを連結する板状の連結部１０３と、連結部１０３に形成され、後述のチューブガイド１１１の突起に係合する係合溝１０４と、連結部１０３の両側に設けた係止突起１０５と、を有している。
【００５６】
中間継手５７は、係止突起１０５の部分でチューブガイド１１１にスナップインで係止され、チューブガイド１１１から脱落しないようになっている。また、係合溝１０４により、上下を誤ってチューブガイド１１１に装着されるのを防止している。そして、各流入側ポート１０１には、各タンク側チューブ５２ａの下流端部が差込み接合され、各流出側ポート１０２には、各ヘッド側チューブ５２ｂ（チューブ湾曲部６２）の上流端部が差込み接合されている。このように構成された中間継手５７により、タンク側チューブ５２ａとヘッド側チューブ５２ｂとを別々に交換できるようになっている。
【００５７】
図３および図５に示すように、ガイド機構５３は、キャリッジ４１の往復動軌跡に並行（Ｙ軸方向）に延在し、チューブ湾曲部６２を下側から受けるチューブガイド１１１と、固定側おいてチューブ湾曲部６２をチューブガイド１１１に固定する固定部材１１２と、チューブ湾曲部６２に添設した可撓性の保護プレート１１３と、チューブ湾曲部６２の可動端部をキャリッジユニット３２上に保持すると共に、チューブターン部６３の湾曲形状をガイドするガイドユニット１１４と、を備えている。
【００５８】
チューブガイド１１１は、一体の板金で形成されており、Ｙ軸方向（キャリッジユニット３２の往復動方向）に延在して、４本のインクチューブ５２を下側から受ける構造となっている。具体的には、チューブガイド１１１は、Ｙ軸方向に延在し４本のインクチューブ５２を受ける底板部１１６と、底板部１１６の両側端部から立ち上がる左右一対のリブ板部１１７、１１７と、を有している。また、図４にも示すように底板部１１６は、所定の間隙を有して、排紙フレーム２７の上方に配設されている。
【００５９】
また、チューブガイド１１１には、そのタンクユニット３側端部に中間継手５７が取り付けられている。このため、チューブガイド１１１のこの部分（リブ板部１１７）には、中間継手５７を上側からスナップインで装着するための一対のコ字状ガイド１２０、１２０が取り付けられている。また、チューブガイド１１１の底板部１１６には、中間継手５７の係合溝１０４が係合する突起が設けられている。
【００６０】
固定部材１１２は、チューブガイド１１１を受けとして４本のインクチューブ５２を押さえるように固定する押圧固定部１１８と、押圧固定部１１８をチューブガイド１１１にネジ固定する締結ネジ１１９と、を備えている。固定部材１１２は、４本のインクチューブ５２を、チューブ湾曲部６２の固定側で、チューブガイド１１１に固定している。具体的には、チューブ湾曲部６２の非可動領域の上流端部で、４本のインクチューブ５２を固定している。これによって、インクチューブ５２の変形を安定させることができると共に、中間継手５７におけるチューブ湾曲部６２の抜けを防止している。
【００６１】
保護プレート１１３は、一端をチューブガイド１１１に固定され、他端をキャリッジ４１上に保持されており、キャリッジユニット３２の往復動に伴って、４本のインクチューブ５２（チューブ湾曲部６２）と一緒に追従変形する。また、保護プレート１１３は、チューブ湾曲部６２のＲ部分に外側から沿設し、チューブ湾曲部６２が、図３中右側や上側の他の構成部材（例えば、外装カバー１５の側壁や天壁）に接触することを防止している。すなわち、保護プレート１１３は、チューブ担持体の機能を有している。また、図示では省略したが、保護プレート１１３には、適宜箇所にチューブ湾曲部６２を縛る紐が設けられている。
【００６２】
図１１に示すように、ガイドユニット１１４は、チューブターン部６３を同一平面内において直角に湾曲させてヘッドユニット４２に導くガイド部材１２１と、ガイド部材１２１の上流側近傍に設けられ、チューブ湾曲部６２の可動端部を上記同一平面内において保持するチューブ保持部材１２２と、を備えている。ガイド部材１２１およびチューブ保持部材１２２は、キャリッジ４１に固定されている。
【００６３】
ガイド部材１２１は、キャリッジ４１に設けられ、インクチューブ５２を２本ずつガイドする２個の個別ガイド溝１２６、１２６から成るガイド溝１２７を有したガイド本体１２８と、２個の個別ガイド溝１２６、１２６にそれぞれ形成され、ガイド本体１２８を受けとして各インクチューブ５２を押える各一対の押え片１２９、１２９と、２個の個別ガイド溝１２６、１２６の開放面全域を覆い、ガイド本体１２８を受けとして各インクチューブ５２を押える板状の押えプレート（押え部材）１３０と、を備えている。また、請求項にいうチューブ押え手段は、一対の押え片１２９、１２９および押えプレート１３０により、構成されている。
【００６４】
ガイド溝１２７は、横並びの４本のインクチューブ５２を水平面且つ同一平面内において湾曲させるものであり、隣接する２本のインクチューブ５２宛て１つの個別ガイド溝１２６（すなわち、２個の個別ガイド溝１２６、１２６）を有している。各個別ガイド溝１２６は、断面角型に凹設され且つガイドする湾曲形状に沿って延在形成されており、横並びにした２本のインクチューブ５２の幅より若干幅狭に形成されている。すなわち、各個別ガイド溝１２６は、それぞれ２本のインクチューブ５２を横並びに嵌入する形で、２本のインクチューブ５２を支持しガイドする。
【００６５】
各一対の押え片１２９、１２９は、各個別ガイド溝１２６の下流端部（延在方向前端部：ガイド本体１２８の下流側）に形成されており、各個別ガイド溝１２６の両側壁上端から内側に延びて形成されている。すなわち、両側壁上端から内側に延びた一対の押え片１２９、１２９が、各インクチューブ５２の上面に接触して、各インクチューブ５２を下側に押えている。そして、一対の押え片１２９、１２９は、個別ガイド溝１２６の延在方向に対し相互に位置ズレして配設されている。なお、図中の符号１２８ａは、一対の押え片１２９、１２９を成形する際の金型の抜き孔である。
【００６６】
押えプレート１３０は、２個の個別ガイド溝１２６、１２６の開放口全域を覆うものであり、具体的には、ガイド本体１２８の上面全域を覆う平面形状に形成されている。すなわち、開放面全域を覆う押えプレート１３０が、各インクチューブ５２の上面に接触して、各インクチューブ５２を下側に押えている。押えプレート１３０は、保護プレート１１３の可動端部と一体形成されており（言い換えると、保護プレート１１３の延長部分）、チューブ保持部材１２２と、ガイド本体１２８上に形成された係止片１２８ｂとによって、ガイド本体１２８の上面に係止されている。なお、押えプレート１３０は、ガイド本体１２８およびチューブターン部６３を保護する保護カバーとしても機能している。
【００６７】
図１１および図１２に示すように、チューブ保持部材１２２は、キャリッジ４１に固定された支持ベース１３１と、支持ベース１３１に固定され、４本のインクチューブ５２を横並びに保持すると共に保護プレート１１３の可動端部を保持するチューブホルダ１３２と、チューブホルダ１３２を支持ベース１３１に固定する固定ネジ１４０と、を備えている。すなわち、支持ベース１３１は、チューブホルダ１３２を介して、４本のインクチューブ５２と保護プレート１１３とを支持している。
【００６８】
チューブホルダ１３２は、４本のインクチューブ５２を受けるチューブ受け面１３６を有したチューブ受け部材１３７と、チューブ受け部材１３７に対しスナップイン形式で装着され、横並びの４本のインクチューブ５２をチューブ受け面１３６との間に押えるチューブ押え部材１３８と、を備えている。なお、チューブホルダ１３２を支持ベース１３１に固定する際には、チューブホルダ１３２を上下反転させて固定される。すなわち、チューブ受け部材１３７を上としチューブ押え部材１３８を下として、支持ベース１３１に固定される。
【００６９】
チューブ受け部材１３７は、横並びの４本のインクチューブ５２と保護プレート１１３とを受けるチューブ受け面１３６と、チューブ受け面１３６の両側端部に位置し、横並びの４本のインクチューブ５２を幅規制により整列する左右一対の整列壁部１３９、１３９と、一対の整列壁部１３９の外側に位置し、チューブ押え部材１３８の被係合部１５１、１５１に係合する左右一対の係合部１５２、１５２と、を有している。具体的には、保護プレート１１３を下とし、４本のインクチューブ５２を上として、チューブ受け面１３６上に載置される。また、一対の整列壁部１３９、１３９は、横並びの４本のインクチューブ５２の側面（右端部のインクチューブ５２の右側面および左端部のインクチューブ５２の左側面）に当接して、４本のインクチューブ５２を幅規制する。
【００７０】
チューブ押え部材１３８は、チューブ受け面１３６を受けとして、横並びの４本のインクチューブを押えるチューブ押え面１５３と、チューブ押え面１５３の両側端部に位置し、チューブ受け部材１３７の一対の係合部１５２、１５２にスナップイン形式で係合する左右一対の被係合部１５１、１５１と、を有している。
【００７１】
固定ネジ１４０は、チューブホルダ１３２を支持ベース１３１に締結すると共に、チューブ受け部材１３７に装着されたチューブ押え部材１３８を不動に締結する。すなわち、固定ネジ１４０は、チューブ押え部材１３８とチューブホルダ１３２とを共締めにより、支持ベース１３１にネジ止めしている。
【００７２】
ここで、図１３を参照して、チューブ保持部材１２２へのインクチューブ５２の組込作業について説明する。図１３に示すように、まず、チューブ受け部材１３７に、水平に引き回した保護プレート１１３を載置し、その上に水平に引き回した４本のインクチューブ５２を横並びに整列して載置する（図１３（ａ））。４本のインクチューブ５２を載置したら、４本のインクチューブ５２を位置決めする。具体的には、各インクチューブ５２において、延在方向の位置決めをし、且つ幅方向の位置決めをすると共に、上記線状のマークに基づきインクチューブ５２の捩れを修正する。その後、チューブ押え部材１３８をチューブ受け部材１３７にスナップイン方式で装着して仮固定する（図１３（ｂ））。４本のインクチューブ５２を仮固定したら、チューブホルダ１３２に可動端部が保持された保護プレート１１３および４本のインクチューブ５２を、チューブホルダ１３２を介してＵターン状に引き回すと共に、チューブホルダ１３２を上下反転させて支持ベース１３１に載置する。その後、固定ネジ１４０によって、チューブホルダ１３２を支持ベース１３１に締結する（図１３（ｃ））。これによって、インクチューブ５２（チューブ湾曲部６２）の可動端部が、チューブ保持部材１２２を介してキャリッジ４１に保持される。
【００７３】
以上のような構成によれば、ガイドユニット１４４（ガイド部材１２１）において、ガイド本体１２８を受けとして４本のインクチューブ５２を押えるチューブ押え手段（押え片１２９および押えプレート１３０）を設けることで、追従変形したインクチューブ５２の浮き上がりを抑制し、インクチューブ５２がガイド本体１２８から外れることを防止することができる。ゆえに、インクチューブ５２を安定して保持することができる。
【００７４】
また、２本のインクチューブ当り１つの個別ガイド溝１２６を有することで、単一の個別ガイド溝１２６で２本のインクチューブ５２をガイドすることができるため、ガイドユニット１４４を簡単な構成にすることができる。また、２本のインクチューブ５２に対し１つの個別ガイド溝１２６を割り当てる構成であれば、個別ガイド溝１２６のいずれかの側壁が必ず各インクチューブ５２に接触するため、十分なガイド機能を得ることができる。
【００７５】
さらに、ガイド本体１２８に下流側に一対の押え片１２９、１２９を配設することで、ガイド本体１２８の下流側でインクチューブ５２を押え、固定することができるため、インクチューブ５２を介してヘッドユニット４２の流入継手４４ａに無用な力が加わるのを抑制することができる。
【００７６】
またさらに、一対の押え片１２９、１２９を個別ガイド溝１２６の延在方向に対し相互に位置ズレして配設することにより、一対の押え片１２９、１２９間の間隙が広くなり、個別ガイド溝１２６にインクチューブ５２を、上側から組み込む際、容易に組み込むことができる。よって、組立性が向上する。また、個別ガイド溝１２６と一対の押え片１２９、１２９とを一体成形する際、一対の押え片１２９、１２９同士を離間させることができるため、成形しやすいものとなる。
【００７７】
また、押えプレート１３０を配設することで、ガイド溝１２７の開放面でインクチューブ５２を押えることができるため、インクチューブ５２の浮き上りを更に抑制することができる。
【００７８】
さらに、押えプレート１３０を、保護プレート１１３の可動側端部で構成することにより、部品点数を削減することができるため、インク供給部１３を簡単な構成にすることができる。
【００７９】
またさらに、ガイド本体１２８の上流側近傍にチューブ保持部材１２２を設けることで、インクチューブ５２の浮き上りを更に抑制することができる。
【００８０】
なお、上記実施形態においては、キャリッジ４１とガイド本体１２８とは、別体として成形されている構成であったが、キャリッジ４１とガイド本体１２８とは、一体に成形されている構成であっても良い。かかる場合、部品点数を削減することができるため、インク供給部１３を簡単な構成にすることができる。
【００８１】
なお、上記実施形態において、インクタンク５１は外装ケース１５の外側に設けたが、キャリッジ４１の外部であれば外装ケース１５の内側の空いているスペースに設けても良い。
【符号の説明】
【００８２】
１：インクジェット記録装置、  ２：記録装置本体、  ３：タンクユニット、  １３：インク供給部、  ３２：キャリッジユニット、  ４１：キャリッジ、  ４２：ヘッドユニット、  ５１：インクタンク、  ５２：インクチューブ、  １１４：ガイドユニット、  １１３：保護プレート、  １２２：チューブ保持部材、  １２６：個別ガイド溝、  １２７：ガイド溝、  １２８：ガイド本体、  １２９：押え片、  １３０：押えプレート。
【図１】
2015221582.tif 000003
【図２】
2015221582.tif 000004
【図３】
2015221582.tif 000005
【図４】
2015221582.tif 000006
【図５】
2015221582.tif 000007
【図６】
2015221582.tif 000008
【図７】
2015221582.tif 000009
【図８】
2015221582.tif 000010
【図９】
2015221582.tif 000011
【図１０】
2015221582.tif 000012
【図１１】
2015221582.tif 000013
【図１２】
2015221582.tif 000014
【図１３】
2015221582.tif 000015
【手続補正書】
【提出日】平成27年10月9日(2015.10.9)
【手続補正２】
【補正対象書類名】特許請求の範囲
【補正対象項目名】全文
【補正方法】変更
【補正の内容】
【特許請求の範囲】
【請求項１】
キャリッジを介して往復動するヘッドユニットに対し、インクを供給し、媒体に記録を
行うインクジェット記録装置であって、
前記キャリッジの外部に設けられ、前記ヘッドユニットに前記インクを供給するインク
タンクユニットと、
前記インクタンクユニットと前記ヘッドユニットとを接続すると共に、前記キャリッジ
の往復動に伴って追従変形する複数本のインクチューブと、
前記キャリッジから前記媒体の搬送方向下流側に向けて延出するように設けられ、前記キャリッジから延出する前記複数本のインクチューブを前記媒体の搬送方向と交差するキャリッジの移動方向に湾曲させることによって前記インクタンクユニットにつながるガイド本体と、を備えることを特徴とするインクジェット記録装置。
【請求項２】
前記インクチューブは、前記キャリッジの往復動軌跡に並行に延在し、前記キャリッジの往復動に伴って上方へ湾曲して追従変形し、
前記キャリッジの往復動軌跡に並行に延在し、追従変形する前記インクチューブを下側から受けるチューブガイドを備え、
前記チューブガイドは、前記ガイド本体の下方に配設されるとともに、前記記録装置の奥行方向において、前記ガイド本体と重なって配設されることを特徴とする請求項１に記載のインクジェット記録装置。
【請求項３】
前記インクチューブは、前記キャリッジの往復動に伴って上方へ湾曲して追従変形し、
前記ガイド本体は、前記インクチューブが、前記上方へ湾曲して追従変形する側での前
記インクジェット記録装置本体の側壁に対して遠い側に形成されていることを特徴とする
請求項１または請求項２に記載のインクジェット記録装置。
【請求項４】
前記上方へ湾曲する方向は、前記搬送方向下流側から見て右側に形成されていることを
特徴とする請求項３に記載のインクジェット記録装置。
【請求項５】
前記ガイド本体の下流側に設けられ、前記複数本のインクチューブを前記前記媒体の搬送方向と交差するキャリッジの移動方向に湾曲させるガイド部と、前記ガイド部の両側壁上端から内側に延びる一対
の押え片と、を有することを特徴とする請求項１から請求項４のいずれか１項に記載のイ
ンクジェット記録装置。
【請求項６】
前記一対の押え片は、前記ガイド部の延在方向に対し相互に位置をずらして配設されて
いることを特徴とする請求項５に記載のインクジェット記録装置。
【請求項７】
前記ガイド部は、隣接する２本のインクチューブ当り１つの個別ガイド部を有すること
を特徴とする請求項５または請求項６のいずれか１項に記載のインクジェット記録装置。
【請求項８】
前記ガイド本体を受けとして前記複数本のインクチューブを押さえるチューブ押え手段
を更に備え、
前記チューブ押え手段は、前記ガイド部の開放面を覆う板状の押え部材を有することを
特徴とする請求項５から請求項７のいずれか１項に記載のインクジェット記録装置。
【請求項９】
前記湾曲された前記複数のインクチューブを保持するチューブホルダを有し、
前記チューブホルダは、
前記複数本のチューブを支持する支持ベースと、
前記複数本のチューブを受けるチューブ受け面を有するチューブ受け部材と、
前記チューブ受け部材に装着され、前記複数本のチューブを前記チューブ受け面との間に押えるチューブ押え面を有するチューブ押え部材と、
前記チューブ受け部材および前記チューブ押え部材の少なくとも一方に設けられ、前記
複数本のチューブを幅規制により整列させる一対の整列壁部と、
を備えたことを特徴とする請求項１から請求項８のいずれか一項に記載のインクジェット記録装置。